(57)【要約】【課題】それぞれの光学式マークを装置で読み取り可能なように，２つの光学式マークを組み合わせた複合光学式マークを提供する。【解決手段】本実施形態に係る複合光学式マーク１は，第１のセンサ３０を用いて光学的に認識する第１の光学式マーク１０と第２のセンサ３１を用いて光学的に認識する第２の光学式マーク１１を組み合わせた光学式マークで，第１の光学式マーク１０の色（第１のマーク色）と第２の光学式マーク１１の色（第２のマーク色）は色相関における反対色の関係になっており，第１の光学式マーク１０と第２の光学式マーク１１が重なり合っている重なり領域１２の色は第１のマーク色と前記第２のマーク色の混合色になっている。【選択図】図１
2015230554.tif 000002
【特許請求の範囲】
【請求項１】
第１のセンサを用いて光学的に認識する第１の光学式マークと第２のセンサを用いて光学的に認識する第２の光学式マークを組み合わせた複合光学式マークであって，
前記第１の光学式マークの色（第１のマーク色）と前記第２の光学式マークの色（第２のマーク色）が色相関における反対色の関係になっており，前記第１の光学式マークと前記第２の光学式マークが重なり合っている重なり領域の色が前記第１のマーク色と前記第２のマーク色の混合色になっていることを特徴とする複合光学式マーク。
【請求項２】
第１のセンサを用いて光学的に認識する第１の光学式マークの色（第１のマーク色）と第２のセンサを用いて光学的に認識する第２の光学式マークの色（第２のマーク色）が，色相関における反対色の関係になっており，前記第１の光学式マークと前記第２の光学式マークが重なり合っている重なり領域の色が前記第１のマーク色と前記第２のマーク色の混合色になるように，前記第１の光学式マークと前記第２の光学式マークを組み合わせた複合光学式マークが付加されていることを特徴とする印刷物。
【請求項３】
第１のセンサを用いて光学的に認識する第１の光学式マークの色（第１のマーク色）と第２のセンサを用いて光学的に認識する第２の光学式マークの色（第２のマーク色）が，色相関における反対色の関係になっており，前記第１の光学式マークと前記第２の光学式マークが重なり合っている重なり領域の色が前記第１のマーク色と前記第２のマーク色の混合色になるように前記第１の光学式マークと前記第２の光学式マークを組み合わせた複合光学式マークを光学的に認識する方法であって，
前記第２のマーク色と同系色の関係にある色の光を前記複合光学式マークに照射し，前記第１のセンサを用いて前記第１の光学式マークを光学的に認識する工程と，前記第１のマーク色と同系色の関係にある色の光を前記複合光学式マークに照射し，前記第２のセンサを用いて前記第２の光学式マークを光学的に認識する工程が実行されることを特徴とする複合光学式マーク認識方法。
【請求項４】
第１の光学式マークの色（第１のマーク色）と第２の光学式マークの色（第２のマーク色）が色相関における反対色の関係になっており，前記第１の光学式マークと前記第２の光学式マークが重なっている重なり領域の色が前記第１のマーク色と前記第２のマーク色の混合色になるように，前記第１の光学式マークと前記第２の光学式マークを組み合わせた複合光学式マークを光学的に認識するシステムであって，
前記第２のマーク色と同系色の関係にある色の光を前記複合光学式マークに照射し，前記第１の光学式マークを光学的に認識する第１のセンサと，前記第１のマーク色と同系色の関係にある色の光を前記複合光学式マークに照射し，前記第２の光学式マークを光学的に認識する第２のセンサを備えたことを特徴とする複合光学式マーク認識システム。
【請求項５】
第１のセンサを用いて光学的に認識する第１の光学式マークと第２のセンサを用いて光学的に認識する第２の光学式マークを組み合わせた複合光学式マークの画像を生成する方法であって，
複合光学式マークの画像を生成する装置が，前記第１の光学式マークの色（第１のマーク色）と前記第２の光学式マークの色（第２のマーク色）が色相関における反対色の関係になるように，前記第１のマーク色と前記第２のマーク色を取得する工程と，前記装置が，前記第１のマーク色にした前記第１の光学式マークの画像と，前記第２のマーク色にした前記第２の光学式マークの画像を重ね合わせ，前記第１の光学式マークの画像と前記第２の光学式マークの画像が重なっている重なり領域の色を前記第１のマーク色と前記第２のマーク色の混合色に変更ことで前記複合光学式マークの画像を生成する工程を備えたことを特徴とする複合光学式マークの画像生成方法。
【請求項６】
第１のセンサを用いて光学的に認識する第１の光学式マークと第２のセンサを用いて光学的に認識する第２の光学式マークを組み合わせた複合光学式マークの画像を生成する装置であって，
前記装置は，前記第１の光学式マークの色（第１のマーク色）と前記第２の光学式マークの色（第２のマーク色）が色相関における反対色の関係になるように，前記第１のマーク色と前記第２のマーク色を取得する工程と，前記第１のマーク色にした前記第１の光学式マークの画像と，前記第２のマーク色にした前記第２の光学式マークの画像を重ね合わせ，前記第１の光学式マークの画像と前記第２の光学式マークの画像が重なっている重なり領域の色を前記第１のマーク色と前記第２のマーク色の混合色に変更ことで前記複合光学式マークの画像を生成する工程を実行することを特徴とする複合光学式マークの画像生成装置。
【発明の詳細な説明】
【技術分野】
【０００１】
本発明は，帳票等の印刷物の管理に用いる光学式マークを組み合わせて印刷する技術に関する。
【背景技術】
【０００２】
帳票毎に印刷内容を変更できるデジタルプリントシステムを用いて帳票を印刷する際，帳票の本文となる印刷絵柄に加えて，帳票の管理に用いる様々な光学式マークを帳票に印刷する。
【０００３】
例えば，特許文献１では，印刷の後工程で光学的に読み取る様々な光学式マークとして，糊を塗布するか否かを示す矩形マークと，糊を塗布する対象の帳票であるかを示す情報を含む１次元バーコードを同一の帳票に印刷する旨が記載されている。また，特許文献２では，通数連番を含む２次元バーコードを帳票に印刷する旨が記載されている。また，特許文献３では，表裏の整合性検査に用いる１次元バーコードを帳票の表裏に印刷する旨が記載されている。
【０００４】
しかしながら，従来の技術では，複数の光学式マークを一つの帳票に印刷する際，それぞれの光学式マーク毎に印刷領域を設けなければならず，同一の帳票に印刷する光学式マークの数が多い場合，帳票デザインの制限になってしまうため，複数の光学式マークを組み合わせて印刷できることが望まれる。
【０００５】
光学式マークの一つである１次元バーコードと他の画像と組み合わせる発明として，バーコードスキャナの感度値を考慮し，バーコードスキャナで１次元バーコードを認識できるように，１次元バーコードと他の画像を組み合わせる発明が特許文献４で開示されているが，特許文献４で開示されている発明は，トレードマークなどの画像を人が光学的に読み取れるように１次元バーコードと組み合わせる発明で，複数の光学式マークそれぞれを装置で読み取り可能なように組み合わせる発明ではない。
【先行技術文献】
【特許文献】
【０００６】
【特許文献１】特許第４７８４３１５号公報
【特許文献２】特開２０１０−１９８４０３号公報
【特許文献３】特開２０００−３０１８１３号公報
【特許文献４】特表２００８−５１１０５９号公報
【発明の概要】
【発明が解決しようとする課題】
【０００７】
そこで，本発明は，それぞれの光学式マークを装置で読み取り可能なように，２つの光学式マークを組み合わせた複合光学式マーク，この複合光学式マークを印刷した印刷物，複合光学式マークを認識する方法，複合光学式マークを認識するシステム，複合光学式マークを生成する方法および複合光学式マークを生成する装置を提供することを目的とする。
【課題を解決するための手段】
【０００８】
本発明に係る第１の発明は，第１のセンサを用いて光学的に認識する第１の光学式マークと第２のセンサを用いて光学的に認識する第２の光学式マークを組み合わせた複合光学式マークであって，前記第１の光学式マークの色（第１のマーク色）と前記第２の光学式マークの色（第２のマーク色）が色相関における反対色の関係になっており，前記第１の光学式マークと前記第２の光学式マークが重なり合っている重なり領域の色が前記第１のマーク色と前記第２のマーク色の混合色になっていることを特徴とする複合光学式マークである。
【０００９】
更に，第２の発明は，第１のセンサを用いて光学的に認識する第１の光学式マークの色（第１のマーク色）と第２のセンサを用いて光学的に認識する第２の光学式マークの色（第２のマーク色）が，色相関における反対色の関係になっており，前記第１の光学式マークと前記第２の光学式マークが重なり合っている重なり領域の色が前記第１のマーク色と前記第２のマーク色の混合色になるように，前記第１の光学式マークと前記第２の光学式マークを組み合わせた複合光学式マークが付加されていることを特徴とする印刷物である。
【００１０】
更に，第３の発明は，第１のセンサを用いて光学的に認識する第１の光学式マークの色（第１のマーク色）と第２のセンサを用いて光学的に認識する第２の光学式マークの色（第２のマーク色）が，色相関における反対色の関係になっており，前記第１の光学式マークと前記第２の光学式マークが重なり合っている重なり領域の色が前記第１のマーク色と前記第２のマーク色の混合色になるように前記第１の光学式マークと前記第２の光学式マークを組み合わせた複合光学式マークを光学的に認識する方法であって，前記第２のマーク色と同系色の関係にある色の光を前記複合光学式マークに照射し，前記第１のセンサを用いて前記第１の光学式マークを光学的に認識する工程と，前記第１のマーク色と同系色の関係にある色の光を前記複合光学式マークに照射し，前記第２のセンサを用いて前記第２の光学式マークを光学的に認識する工程が実行されることを特徴とする複合光学式マーク認識方法である。
【００１１】
更に，第４の発明は，第１の光学式マークの色（第１のマーク色）と第２の光学式マークの色（第２のマーク色）が色相関における反対色の関係になっており，前記第１の光学式マークと前記第２の光学式マークが重なっている重なり領域の色が前記第１のマーク色と前記第２のマーク色の混合色になるように，前記第１の光学式マークと前記第２の光学式マークを組み合わせた複合光学式マークを光学的に認識するシステムであって，前記第２のマーク色と同系色の関係にある色の光を前記複合光学式マークに照射し，前記第１の光学式マークを光学的に認識する第１のセンサと，前記第１のマーク色と同系色の関係にある色の光を前記複合光学式マークに照射し，前記第２の光学式マークを光学的に認識する第２のセンサを備えたことを特徴とする複合光学式マーク認識システムである。
【００１２】
更に，第５の発明は，第１のセンサを用いて光学的に認識する第１の光学式マークと第２のセンサを用いて光学的に認識する第２の光学式マークを組み合わせた複合光学式マークの画像を生成する方法であって，複合光学式マークの画像を生成する装置が，前記第１の光学式マークの色（第１のマーク色）と前記第２の光学式マークの色（第２のマーク色）が色相関における反対色の関係になるように，前記第１のマーク色と前記第２のマーク色を取得する工程と，前記装置が，前記第１のマーク色にした前記第１の光学式マークの画像と，前記第２のマーク色にした前記第２の光学式マークの画像を重ね合わせ，前記第１の光学式マークの画像と前記第２の光学式マークの画像が重なっている重なり領域の色を前記第１のマーク色と前記第２のマーク色の混合色に変更ことで前記複合光学式マークの画像を生成する工程を備えたことを特徴とする複合光学式マークの画像生成方法である。
【００１３】
更に，第６の発明は，第１のセンサを用いて光学的に認識する第１の光学式マークと第２のセンサを用いて光学的に認識する第２の光学式マークを組み合わせた複合光学式マークの画像を生成する装置であって，前記装置は，前記第１の光学式マークの色（第１のマーク色）と前記第２の光学式マークの色（第２のマーク色）が色相関における反対色の関係になるように，前記第１のマーク色と前記第２のマーク色を取得する工程と，前記第１のマーク色にした前記第１の光学式マークの画像と，前記第２のマーク色にした前記第２の光学式マークの画像を重ね合わせ，前記第１の光学式マークの画像と前記第２の光学式マークの画像が重なっている重なり領域の色を前記第１のマーク色と前記第２のマーク色の混合色に変更ことで前記複合光学式マークの画像を生成する工程を実行することを特徴とする複合光学式マークの画像生成装置である。
【発明の効果】
【００１４】
このように，上述した本発明によれば，２つの光学式マークそれぞれを装置で読み取り可能なように組み合わせた複合光学式マーク，この複合光学式マークを印刷した印刷物，複合光学式マークの認識方法，複合光学式マークの認識システム，複合光学式マークの生成方法および複合光学式マークの生成装置を提供できる。
【図面の簡単な説明】
【００１５】
【図１】本実施形態に係る印刷物を説明する図。
【図２】複合光学式マークを光学的に認識するシステムを説明する図。
【図３】投光する光の色と複合光学式マークの見え方を説明する図。
【図４】複合光学式マークの画像を生成する方法を説明する図。
【図５】複合光学式マークの画像を生成する装置を説明する図。
【図６】複合光学式マークの画像を生成する際に生成する画像を説明する図。
【図７】複合光学式マークの他の形態を説明する図。
【発明を実施するための形態】
【００１６】
ここから，本発明の好適な実施形態を記載する。なお，以下の記載は本発明の範囲を束縛するものでなく，理解を助けるために記述するものである。
【００１７】
図１は，本実施形態に係る印刷物２を説明する図，図２は，複合光学式マーク１を光学的に認識するシステム３を説明する図，図３は，投光する光の色と複合光学式マーク１の見え方を説明する図，図４は，複合光学式マーク１の画像を生成する方法を説明する図，図５は，複合光学式マーク１の画像を生成する装置を説明する図，図６は，複合光学式マーク１の画像を生成する際に生成する画像を説明する図，図７は，複合光学式マーク１の他の形態を説明する図である。
【００１８】
まず，図１を参照しながら，本実施形態に係る印刷物２について説明する。本実施形態に係る印刷物２（ここでは，帳票）の用紙の色は白色で，図１に図示したように，この印刷物２には，印刷物２の管理に用いる印刷絵柄として，第１の光学式マーク１０と第２の光学式マーク１１を組み合わせた図柄である複合光学式マーク１とページ番号２ａが，印刷物２の地側に印刷されている。
【００１９】
ここで，光学式マークとは，光学的に認識可能なマークを意味し，具体的には，１元バーコード，２次元バーコード，ＯＣＲ文字や所定の図形などである。本実施形態では，特許文献１のように，複合光学式マーク１に組み合わせる第１の光学式マーク１０を糊の塗布の整合性検証に用いる１次元バーコードとし，複合光学式マーク１に組み合わせる第２の光学式マーク１１を糊の塗布制御に用いる矩形マークとしている。
【００２０】
第１の光学式マーク１０の色（以下，第１のマーク色）と第２の光学式マーク１１の色（以下，第２のマーク色）が同系色であると，第２の光学式マーク１１は，第１の光学式マーク１０を光学的に認識する際の妨げになってしまうし，また，第１の光学式マーク１０は，第２の光学式マーク１１を光学的に認識する際の妨げになってしまうため，本実施形態の複合光学式マーク１では，第１の光学式マーク１０の色と第２の光学式マーク１１の色を，色相関における反対色の関係になるようにし，お互いが相手の色を引き立たせるようにしている。
【００２１】
ここで，反対色とは，色相関において正反対の色に近い色を意味する。本実施形態では，第１のマーク色を緑系統の色（例えば，Ｃ＝１００％，Ｍ＝１５％，Ｙ＝５０％，Ｋ＝０％の緑色）にし，第２のマーク色を緑系統の色の反対色となる赤系統の色（例えば，Ｃ＝０％，Ｍ＝８５％，Ｙ＝４０％，Ｋ＝０％のピンク色）にしている。なお，第１の光学式マーク１０と第２の光学式マーク１１が重なり合う重なり領域１２は，第１のマーク色と第２のマーク色が重なり合うことになるため，この重なり領域１２の色は，第１のマーク色と第２のマーク色の混合色（例えば，濃い灰色になる）になっている。
【００２２】
次に，図２を参照しながら，複合光学式マーク１を光学的に認識するシステム３について説明する。図２に図示したように，複合光学式マーク１を光学的に認識するシステム３は，第１の光学式マーク１０を光学的に認識する第１のセンサ３０と第２の光学式マーク１１を光学的に認識する第２のセンサ３１の２つのセンサを備える。本実施形態では，第１の光学式マーク１０を１次元バーコードにしているため，図２では，第１のセンサ３０は，１次元バーコードを光学的に認識するバーコードスキャナにしている。また，本実施形態において，第２の光学式マーク１１を矩形マークとしているため，図２では，第２のセンサ３１は，矩形マークの色を光学的に認識する光電センサにしている。
【００２３】
上述したように，本実施形態の複合光学式マーク１では，第１のマーク色と第２のマーク色は，色相関における反対色の関係になっているため，第１のセンサ３０は，第２の光学式マーク１１を光学的に認識しないように，第２のマーク色と同系色の関係にある色の光（ここでは，赤色の光）を複合光学式マーク１に照射して，第１の光学式マーク１０を光学的に認識する。また，第２のセンサ３１は，第１の光学式マーク１０を光学的に認識しないように，第１のマーク色と同系色の関係にある色の光（ここでは，緑色の光）を複合光学式マーク１に照射して，第２の光学式マーク１１を光学的に認識する。なお，第１の光学式マーク１０と第２の光学式マーク１１が重なり合う重なり領域１２は，第１のマーク色と第２のマーク色の混合色になるため，第１のセンサ３０および第２のセンサ３０で重なり領域１２を認識できる。
【００２４】
このように，図２で図示したシステム３では，第１のセンサ３０が有する光源の色を第２のマーク色と同系色の関係にある色にし，第２のセンサ３１が有する光源の色を第１のマーク色と同系色の関係にある色にする必要があるが，光学式マークを光学的に認識するセンサに光源を内蔵させる必要はなく，図２では，第１のセンサ３０は光源を内蔵しているが，第２のセンサ３１は光源を内蔵しておらず，第２のセンサ３１の光源は第２のセンサ３１とは別に設置している。
【００２５】
図３を参照して，投光する光の色と複合光学式マーク１の見え方について説明する。図３（ａ）は，赤色の光を複合光学式マーク１に投光したときの複合光学式マーク１の見え方を説明する図である。複合光学式マーク１は，白色の用紙に印刷されるため，複合光学式マーク１を印刷している個所に赤色の光を投光すると，用紙の色は赤色に見える。また，第２のマーク色は赤系統の色であるため，複合光学式マーク１を印刷している個所に赤色の光を投光すると，重なり領域１２を除き第２の光学式マーク１１は赤色に見える。これに対し，第１のマーク色は緑系統の色になるため，複合光学式マーク１を印刷している個所に赤色の光を投光すると，重なり領域１２も含め第１の光学式マーク１０全体は灰色に見え，第１のセンサ３０にて第１の光学式マーク１０を光学的に認識することは可能である。
【００２６】
図３（ｂ）は，緑色の光を複合光学式マーク１に投光したときの複合光学式マーク１の見え方を説明する図である。複合光学式マーク１は，白色の用紙に印刷されるため，複合光学式マーク１を印刷している個所に緑色の光を投光すると，用紙の色は緑色に見える。また，第１のマーク色は緑系統の色であるため，複合光学式マーク１を印刷している個所に緑色の光を投光すると，重なり領域１２を除き第１の光学式マーク１０は緑色に見える。これに対し，第２のマーク色は赤系統の色になるため，複合光学式マーク１を印刷している個所に緑色の光を投光すると，重なり領域１２も含め第２の光学式マーク１１全体は灰色に見え，第２のセンサ３１にて第２の光学式マーク１１を光学的に認識することは可能である。
【００２７】
次に，図４，５および６を参照しながら，複合光学式マーク１の生成方法について説明する。本実施形態に係る複合光学式マーク１の生成方法は，例えば，デジタル印刷機用のレイアウトデータを生成するページレイアウト装置４で実行される方法である。図５に図示したように，ページレイアウト装置４とは，ディスプレイ４ａ，キーボード４ｂおよびポインティングデバイス４ｃが接続されたパーソナルコンピュータで，このパーソナルコンピュータには，ページレイアウトソフトウェアに加え，複合光学式マーク１を生成するためのコンピュータプログラムがインストールされている。なお，複合光学式マーク１を生成するためのコンピュータプログラムは，ページレイアウトソフトウェアのプラグインで実現するのが一般的である。
【００２８】
複合光学式マーク１を生成する際，複合光学式マーク１を生成する機能を有するページレイアウト装置４は，色相環図をディスプレイに表示するなどして，第１のマーク色と第２のマーク色が色相環における反対色の関係になるように，第１のマーク色と第２のマーク色を取得する（図４のＳ１）。
【００２９】
複合光学式マーク１に組み合わせる光学式マークの一つが，光源の色の変更が難しいセンサに対応する光学式マークの場合，このセンサが有する光源の色に基づいて，このセンサが対応する光学式マークの色が決定される。例えば，本実施形態のように，１次元バーコードを第１の光学式マーク１０とするとき，１次元バーコードを光学的に認識するバーコードスキャナが有する光源の色は一般的に赤が多いため，第１のマーク色は赤の反対色となる色（緑系統の色）に決定され，第２のマーク色は緑系統の色の反対色（赤系統の色）に決定される。
【００３０】
次に，ページレイアウト装置４は，第１のマーク色にした第１の光学式マーク１０の画像と，第２のマーク色にした第２の光学式マーク１１の画像を重ね合わせ，第１の光学式マーク１０の画像と第２の光学式マーク１１の画像が重なっている重なり領域１２の色を第１のマーク色と第２のマーク色の混合色に変更することで複合光学式マーク１を生成する。
【００３１】
本実施形態では，第１の光学式マーク１０を１次元バーコードとしているため，第１の光学式マーク１０の画像は図６（ａ）の画像のような画像になる。また，第２の光学式マーク１１を矩形マークとしているため，第２の光学式マーク１１の画像は図６（ｂ）の画像のような画像になり，図６（ａ）の画像と図６（ｂ）の画像を重ね合わせ，図６（ａ）の画像と図６（ｂ）の画像が重なり合う領域を第１のマーク色と第２のマーク色の混合色とすることで，図６（ｃ）で図示したような複合光学式マーク１が生成される。
【００３２】
光学式マークの画像は，ページレイアウト装置４が生成した画像でもよく，また，ページレイアウト装置４に登録された画像でもよい。例えば，第１の光学式マーク１０を１次元バーコードとする際，ページレイアウト装置４は，１次元バーコードにエンコードするデータを取得して所定フォーマットの１次元バーコードの画像を生成し，この画像の色を第１のマーク色とする。また，第２の光学式マーク１１を矩形マークとする際，ページレイアウト装置４には矩形マークの画像が登録され，ページレイアウト装置４は，この画像の色を第２のマーク色とする。
【００３３】
また，第１の光学式マーク１０の画像と第２の光学式マーク１１の画像の重ね合わせは手動または自動のいずれかでよい。手動にて，第１の光学式マーク１０の画像と第２の光学式マーク１１を重ね合わせする際，ページレイアウト装置４は，ページレイアウト装置４のユーザの操作に従い，第１の光学式マーク１０の画像または第２の光学式マーク１１のいずれかを移動させ，第１の光学式マーク１０の画像と第２の光学式マーク１１を重ね合わせする。また，自動にて，第１の光学式マーク１０の画像と第２の光学式マーク１１を重ね合わせする際，ページレイアウト装置４は，複合光学式マーク１のテンプレートに従い，第１の光学式マーク１０の画像と第２の光学式マーク１１を重ね合わせする。
【００３４】
ここから，複合光学式マーク１の他の形態について説明する。複合光学式マーク１に組み合わせる光学式マークは上述の形態に限らず，複合光学式マーク１に組み合わせる光学式マークは任意でよい。
【００３５】
例えば，上述の形態では，矩形マークと組み合わせる光学式マークを１次元バーコードとしていたが，図７（ａ）のように，矩形マークと組み合わせる光学式マークを２次元バーコードとすることができる。なお，図７（ａ）では，矩形マークのサイズを光学式マークのサイズに合わせている。また，上述の形態では，矩形マークと１次元バーコードを組み合わせていたが，図７（ｂ）のように，１次元バーコードと２次元バーコードを組み合わせてもよい。また，上述の形態では，１次元バーコードに組み合わせる他の光学式マークを一つとしていたが，図７（ｃ）のように，１次元バーコードに組み合わせる他の光学式マークを横に並べることで，１次元バーコードに複数の他の光学式マークを組み合わせることもできる。
【符号の説明】
【００３６】
１，５ａ，５ｂ，５ｃ    複合光学式マーク
１０  第１の光学式マーク
１１  第２の光学式マーク
１２  第１の光学式マークと第２の光学式マークが重なり合う重なり領域
２    複合光学式マークを印刷した印刷物
３    複合光学式マークを認識するシステム
３０  第１のセンサ
３０ａ  第１のセンサの光源
３１  第２のセンサ
３１ａ  第２のセンサの光源
４    ページレイアウト装置
【図４】
2015230554.tif 000003
【図５】
2015230554.tif 000004
【図１】
2015230554.tif 000005
【図２】
2015230554.tif 000006
【図３】
2015230554.tif 000007
【図６】
2015230554.tif 000008
【図７】
2015230554.tif 000009